【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
クライアントデバイスの少なくとも１つのブロードバンドインタフェース及び１つの受信専用ブロードキャストインタフェースにそれぞれ接続されるブロードバンド帯域幅を有する少なくとも１つのブロードバンドネットワーク及び１つのブロードキャストネットワークを有する複数の通信ネットワークを通じて、マルチキャストコンテンツを受信可能なクライアントデバイスであって、
前記少なくとも１つのブロードバンドインタフェース及び１つの受信専用ブロードキャストインタフェースの中から、ブロードバンド帯域幅を節約するために使用されるインタフェースを選択可能なアダプタセレクタを有し、
前記アダプタセレクタは、前記選択されたインタフェースのシグナリング及びアクティベーションを可能にするためのプロトコルを使用してメッセージを送信し、適切な通信ネットワークを通じた前記マルチキャストコンテンツのルーティングを要求することができるクライアントデバイス。
【請求項２】
前記アダプタセレクタは、マルチキャストストリームのクライアント要求を取得及び分析することができ、更に、必要に応じて前記マルチキャストストリームが前記少なくとも１つのブロードキャストネットワークでサービス提供されることを要求する制御メッセージをマルチキャストプロキシサーバに送信することができる、請求項１に記載のクライアントデバイス。
【請求項３】
前記プロトコルは、IP  Group  Management  Protocolの拡張である、請求項１又は２に記載のクライアントデバイス。
【請求項４】
クライアントデバイスの少なくとも１つのブロードバンドインタフェース及び１つの受信専用ブロードキャストインタフェースにそれぞれ接続されるブロードバンド帯域幅を有する少なくとも１つのブロードバンドネットワーク及び１つのブロードキャストネットワークを有する複数の通信ネットワークを通じて、マルチキャストコンテンツを送信及び／又は受信する方法であって、
前記少なくとも１つのブロードバンドインタフェース及び１つの受信専用ブロードキャストインタフェースの中から、ブロードバンド帯域幅を節約するために使用されるインタフェースを選択するステップと、
前記選択されたインタフェースをシグナリング及びアクティベーションするためのプロトコルを使用してメッセージを送信するステップと、
適切な通信ネットワークを通じた前記マルチキャストコンテンツのルーティングを要求するステップと
を有する方法。
【請求項５】
IPマルチキャストストリームが前記ブロードキャストネットワークで前記クライアントデバイスの前記ブロードキャストインタフェースに送信されることが選択されるように、要求を受信して前記要求をブロードキャストルータにリダイレクトするステップを更に有する、請求項４に記載の方法。
【請求項６】
マルチキャストストリームのクライアント要求を取得及び分析するステップと、
必要に応じて前記マルチキャストストリームが前記少なくとも１つのブロードキャストネットワークでサービス提供されることを要求する制御メッセージをマルチキャストプロキシに送信するステップと
を有する、請求項４又は５に記載の方法。
【請求項７】
前記マルチキャストコンテンツを前記ブロードキャストネットワークで前記クライアントデバイスに送信するために、所要の配信ツリーを構築する対応するブロードキャストルータに前記クライアント要求をリダイレクトするステップを有する、請求項６に記載の方法。
【請求項８】
前記プロトコルは、IP  Group  Management  Protocolの拡張である、請求項４ないし７のうちいずれか１項に記載の方法。
【請求項９】
前記プロトコルは、マルチキャストIPストリームを受信するため又は受信を停止するための前記クライアントデバイスからの要求をシグナリングするメッセージを含む、請求項４ないし７のうちいずれか１項に記載の方法。
【請求項１０】
前記プロトコルは、マルチキャストIPストリームが前記ブロードキャストネットワークでもはや利用可能でないこと又は現在利用可能であることを示すマルチキャストプロキシサーバから受信した要求をシグナリングするメッセージを含む、請求項４ないし７のうちいずれか１項に記載の方法。
【請求項１１】
使用されるインタフェースは、マルチキャストコンテンツ帯域幅及び／又は前記マルチキャストコンテンツの人気に従って選択される、請求項４ないし１１のうちいずれか１項に記載の方法。
【手続補正２】
【補正対象書類名】明細書
【補正対象項目名】０１２０
【補正方法】変更
【補正の内容】
【０１２０】
好ましい実施例において本発明について説明したが、発明能力を発揮せずに、当業者の能力の範囲内で、複数の変更及び実施例が可能であることは明らかである。従って、本発明の範囲は、特許請求の範囲により規定される。
以上の実施例に関し、更に、以下の項目を開示する。
（付記１）クライアントデバイスの少なくとも１つのブロードバンドインタフェース及び１つの受信専用ブロードキャストインタフェースにそれぞれ接続されるブロードバンド帯域幅を有する少なくとも１つのブロードバンドネットワーク及び１つのブロードキャストネットワークを有する複数の通信ネットワークを通じて、マルチキャストコンテンツを受信可能なクライアントデバイスであって、
ブロードバンド帯域幅を節約するために使用されるインタフェースを選択可能なアダプタセレクタを有するクライアントデバイス。
（付記２）前記アダプタセレクタは、前記選択されたインタフェースのシグナリング及びアクティベーションを可能にするためのプロトコルを使用してメッセージを送信し、適切な通信ネットワークを通じた前記マルチキャストコンテンツのルーティングを要求することができる、付記１に記載のクライアントデバイス。
（付記３）前記アダプタセレクタは、マルチキャストストリームのクライアント要求を取得及び分析することができ、更に、必要に応じて前記マルチキャストストリームが前記少なくとも１つのブロードキャストネットワークでサービス提供されることを要求する制御メッセージをマルチキャストプロキシサーバに送信することができる、付記２に記載のクライアントデバイス。
（付記４）前記プロトコルは、IP  Group  Management  Protocolの拡張である、付記２又は３に記載のクライアントデバイス。
（付記５）クライアントデバイスの少なくとも１つのブロードバンドインタフェース及び１つの受信専用ブロードキャストインタフェースにそれぞれ接続されるブロードバンド帯域幅を有する少なくとも１つのブロードバンドネットワーク及び１つのブロードキャストネットワークを有する複数の通信ネットワークを通じて、マルチキャストコンテンツを送信及び／又は受信する方法であって、
ブロードバンド帯域幅を節約するために使用されるインタフェースを選択するステップを有する方法。
（付記６）IPマルチキャストストリームが前記ブロードキャストネットワークで前記クライアントデバイスの前記ブロードキャストインタフェースに送信されることが選択されるように、要求を受信して前記要求をブロードキャストルータにリダイレクトするステップを更に有する、付記５に記載の方法。
（付記７）前記選択されたインタフェースをシグナリング及びアクティベーションするためのプロトコルを使用してメッセージを送信するステップと、
適切な通信ネットワークを通じた前記マルチキャストコンテンツのルーティングを要求するステップと
を有する、付記５又は６に記載の方法。
（付記８）マルチキャストストリームのクライアント要求を取得及び分析するステップと、
必要に応じて前記マルチキャストストリームが前記少なくとも１つのブロードキャストネットワークでサービス提供されることを要求する制御メッセージをマルチキャストプロキシに送信するステップと
を有する、付記７に記載の方法。
（付記９）前記マルチキャストコンテンツを前記ブロードキャストネットワークで前記クライアントデバイスに送信するために、所要の配信ツリーを構築する対応するブロードキャストルータに前記クライアント要求をリダイレクトするステップを有する、付記８に記載の方法。
（付記１０）前記プロトコルは、IP  Group  Management  Protocolの拡張である、付記７ないし９のうちいずれか１項に記載の方法。
（付記１１）前記プロトコルは、マルチキャストIPストリームを受信するため又は受信を停止するための前記クライアントデバイスからの要求をシグナリングするメッセージを含む、付記７ないし９のうちいずれか１項に記載の方法。
（付記１２）前記プロトコルは、マルチキャストIPストリームが前記ブロードキャストネットワークでもはや利用可能でないこと又は現在利用可能であることを示すマルチキャストプロキシサーバから受信した要求をシグナリングするメッセージを含む、付記７ないし９のうちいずれか１項に記載の方法。
（付記１３）使用されるインタフェースは、マルチキャストコンテンツ帯域幅及び／又は前記マルチキャストコンテンツの人気に従って選択される、付記５ないし１２のうちいずれか１項に記載の方法。